(57)【要約】【課題】ハンドリフターにおいて、機体とリフトタワーとを分解、組立して、運搬、格納し易くする構成は、煩雑化し、手数を要して、簡単な構成、及び分解、組立操作とはなり難い。【解決手段】機体１の前端部に左右一対の前輪２を軸装し、後部には操向自在のキャスター輪４を配置し、機体１中央部上に、作業者が手腕で抱え込み可能な断面形態のリフトタワー５を立設し、このリフトタワー５のリフト溝６の前側にはリフトフォーク７を装着して昇降案内させる形態とし、前記機体１の後部には、前記リフトフォーク７を昇降するモータＭを電動するバッテリー８と、バランスウエイト９を着脱可能に搭載して、これら、バッテリー８及びバランスウエイト９を取外して機体１重量を軽くした状態で、前記機体１のキャスタ輪４側を前輪軸３周りに浮上させて、リフトタワー５部を前倒し姿勢Ｄに回動し運搬可能に構成したことを特徴とするハンドリフターとする。【選択図】図１
2014101203.tif 000002
【特許請求の範囲】
【請求項１】
機体（１）の前端部には、この機体（１）の前倒し姿勢（Ｄ）においても接地回動可能の位置に、左右一対の前輪（２）を軸装し、後部には操向自在のキャスター輪（４）を配置し、これら前後の前輪（２)とキャスタ輪（４）と間の機体（１）中央部上に、作業者が手腕で抱え込み可能な断面形態のリフトタワー（５）を立設し、このリフトタワー（５）のリフト溝（６）の前側にはリフトフォーク（７）を装着して昇降案内させる形態とし、前記機体（１）の後部には、前記リフトフォーク（７）を昇降するモータ（Ｍ）を駆動するバッテリー（８）と、バランスウエイト（９）を着脱可能に搭載して、これらバッテリー（８）及びバランスウエイト（９）を取外して機体（１）重量を軽くした状態で、前記機体（１）のキャスタ輪（４）側を前輪（２）周りに浮上させて、リフトタワー（５）部を前倒し姿勢（Ｄ）に回動し運搬可能に構成したことを特徴とするハンドリフター。
【請求項２】
前記リフトタワー（５）の抱え部位置近くにグリップハンドル（１０）を形成したことを特徴とする請求項１に記載のハンドリフター。
【請求項３】
前記前輪（２）を軸装する前輪軸（３）を、機体（１）に対して支持固定するリフトタワー（５）の下端部と、この機体（１）の前端部に取付けるリフトフォーク（７）のバックレスト（１６）部との間に配置したことを特徴とする請求項１又は２に記載のハンドリフター。
【請求項４】
リフトタワー（５）内部のリフトチェン（１７）に沿わせて平行形態にして連結した左右一対のプレート（１８）からなり、前端上部に左右外側へ突出するフックピン（１９）を有したリフトブラケット（２０）を、このリフトタワー（５）のリフト溝（６）から前方へ突出させて昇降可能に設け、前記リフトフォーク（７）のバックレスト（１６）の後面には、前記リフトブラケット（２０）の外側面に沿って嵌合重合する左右両側のプレート（２２）からなり、上端部には前記各フックピン（１９）に係合可能のフック（２３）を形成したフックブラケット（２４）を設け、前記フックブラケット（２４）上部のフック（２３）をリフトブラケット（２０）上部のフックピン（１９）に係合させて、これらリフトブラケット（２０）とフックブラケット（２４）との下端部間に亘ってノブボルト（２５）を挿通して、リフトフォーク（７）をリフトブラケット（２０）に着脱可能に連結することを特徴とする請求項１，２又は３に記載のハンドルリフター。
【請求項５】
前記リフトフォーク（７）は、バックレスト（１６）に対して前方に突出するフォーク部（４１）を、上向き方向の折畳姿勢（Ｅ）に回動可能に構成し、このフォーク部（４１）をリフト姿勢（Ｇ）からリフトタワー（５）に沿う上向きの折畳姿勢（Ｅ）に回動して、この折畳姿勢のリフトフォーク（７）をリフトタワー（５）の上端部に上昇させた状態で、前記リフトタワー（５）を前倒れ姿勢（Ｄ）に倒して運搬可能とすることを特徴とする請求項１，２，３又は４に記載のハンドリフター。
【発明の詳細な説明】
【技術分野】
【０００１】
回転自在の車輪を軸装したリフトフォークの機体を、ハンドルの押し引き操作で移動しながら、リフトフォークを昇降してリフト作業するハンドリフターに関し、リフターの運搬、格納等の取扱性の簡便化を図るものである。
【背景技術】
【０００２】
リフトタワーを有した機体の前方に、リフトフォークとこの左右両側部に位置する前輪を配置し、機体の後側部にはキャスター輪を配置し、リフトタワーの後側に操作ハンドルを設けたハンドリフターの技術（例えば、特許文献１参照）や、又、リフトタワーに対して、前輪を有した前部機体と、キャスタ輪を有した後部機体とを分解して、これら各部を重合させて格納形態にして運搬等を行い易くする技術（例えば、特許文献２参照）等が知られている。
【先行技術文献】
【特許文献】
【０００３】
【特許文献１】特開２００５−３５０２０７号公報
【特許文献２】実開昭６３−３５７９６号公報
【発明の概要】
【発明が解決しようとする課題】
【０００４】
ハンドリフターにおいて、機体とリフトタワーとを分解、組立して、運搬、格納し易くする構成は、ハンドリフターが重量物を昇降、移動の対象とし、しかも、安全な取扱作業の対象とする性格上においても、煩雑化し、手数を要して、簡単な構成、及び分解、組立操作とはなり難い。
【課題を解決するための手段】
【０００５】
請求項１に記載の発明は、機体１の前端部には、この機体１の前倒し姿勢Ｄにおいても接地回動可能の位置に、左右一対の前輪２を軸装し、後部には操向自在のキャスター輪４を配置し、これら前後の前輪２とキャスタ輪４と間の機体１中央部上に、作業者が手腕で抱え込み可能な断面形態のリフトタワー５を立設し、このリフトタワー５のリフト溝６の前側にはリフトフォーク７を装着して昇降案内させる形態とし、前記機体１の後部には、前記リフトフォーク７を昇降するモータＭを駆動するバッテリー８と、バランスウエイト９を着脱可能に搭載して、これらバッテリー８及びバランスウエイト９を取外して機体１重量を軽くした状態で、前記機体１のキャスタ輪４側を前輪２周りに浮上させて、リフトタワー５部を前倒し姿勢Ｄに回動し運搬可能に構成したことを特徴とするハンドリフターとする。
【０００６】
リフターの移動は、作業者Ａが操作ハンドル１４を把持して押し引きすることにより、前輪２、及びキャスタ輪４を床面Ｂに接地回動させて、リフト作業位置を移動、操向できる。リフトフォーク７の昇降は、作業者が操作ハンドル１４部のスイッチＳ操作によって、バッテリー８によりモータＭを駆動して、リフトタワー５に沿って昇降させることができる。このようなハンドリフター５において、リフトフォーク７を格納したり、トラックＣ等に載せて運搬するときは、機体１の後方に配置のバッテリー８や、バランスウエイト９を取外して、機体１重量を軽量化する。この状態で機体１及びリフトタワー５を、前輪２の周りに前倒れ姿勢Ｄに回動する。作業者は、この前倒れ姿勢Ｄのリフトタワー５部を抱き抱えるようにして、前輪２を床面Ｂに接地させたままの状態で、（図７，図８参照）押し引き移動することができる。
【０００７】
請求項２に記載の発明は、リフトタワー５の抱え部位置近くにグリップハンドル１０を形成したことを特徴とする。
【０００８】
バッテリー８及びバランスウエイト９等を取外したハンドリフター本体は、前輪２軸３部の周りに前倒し回動して、作業者がこの前倒れ姿勢Ｄのリフトタワー５部を手腕で抱えて運搬する姿勢をとる。このとき、リフトタワー５部を抱えながら、近くの手でリフトタワー５に形成されているグリップハンドル１０を把持して、このリフトタワー５の抱え姿勢を固定することができる。作業者がこのグリップハンドル１０を持つことによって、リフトタワー５の運搬移動方向や、機体１部の持上げ操作等を容易に、的確に行うことができる。
【０００９】
請求項３に記載の発明は、前記前輪２を軸装する前輪軸３を、機体１に対して支持固定するリフトタワー５の下端部と、この機体１の前端部に取付けるリフトフォーク７のバックレスト１６部との間に配置したことを特徴とする。
【００１０】
前記のように、リフト作業時は、機体１及びリフトタワー５等を、前輪２とキャスタ輪４で接地支持して移動しながら、リフトフォーク７による荷物の積み降ろし、運送等を行わせる。この機体１に対する前輪軸３の位置を、リフトフォーク７のバックレスト１６よりも後側に配置するため、この前輪軸３とリフトタワー５の下端部との前後間隔を短くして、リフトフォーク７の昇降作動時は、このリフトタワー５前側部の荷重重量が、後側部のバッテリー８や、バランスウエイト９等による搭載重量と前後バランスして、安定したリフト作用や、移動を行わせる。
【００１１】
請求項４に記載の発明は、リフトタワー５内部のリフトチェン１７に沿わせて平行形態にして連結した左右一対のプレート１８からなり、前端上部に左右外側へ突出するフックピン１９を有したリフトブラケット２０を、このリフトタワー５のリフト溝６から前方へ突出させて昇降可能に設け、前記リフトフォーク７のバックレスト１６の後面には、前記リフトブラケット２０の外側面に沿って嵌合重合する左右両側のプレート２２からなり、上端部には前記各フックピン１９に係合可能のフック２３を形成したフックブラケット２４を設け、前記フックブラケット２４上部のフック２３をリフトブラケット２０上部のフックピン１９に係合させて、これらリフトブラケット２０とフックブラケット２４との下端部間に亘ってノブボルト２５を挿通して、リフトフォーク７をリフトブラケット２０に着脱可能に連結することを特徴とする。
【００１２】
リフト作業は、リフトタワー５内部に上下方向に掛け渡されたリフトチェン１７の昇降駆動によって、このリフトチェン１７に連結されたリフトブラケット２０が、リフト溝６に案内されて昇降される。このリフトブラケット２０のフックピン１９に、リフトフォーク７のフックブラケット２４が係合して装着されていると、このフックブラケット２４を昇降して、リフトフォーク７を昇降することができる。このように、リフトフォーク７側のフックブラケット２４をリフトブラケット２０に係合させて取付けた状態では、このフックブラケット２４の上端部のフック２３が、リフトブラケット２０上端部のフックピン１９に係合して吊下げ形態に支持される。そして、このフックブラケット２４の左右一対のプレート２２が、リフトブラケット２０の左右一対のプレート１８の外側面に沿って嵌合重合して、フックブラケット２４のリフトブラケット２０に対する左右横方向の揺動や、がたつき等を阻止して、両ブラケット２０，２４の係合剛性を高める。そして、これら係合連結された両ブラケット２０，２４の下部位置にはボルト穴が形成されていて、このボルト穴にノブボルト２５を挿通することによって、両ブラケット２０，２４の相対的上下移動を阻止して、フック２３がフックピン１９から外れるのを防止する。又、このリフトフォーク７をリフトブラケット２０から取外すときは、前記ノブボルト２５を抜き出して、フック２３をフックピン１９から上方に浮上させた状態にして、リフトフォーク７を前方へ移動させる。
【００１３】
請求項５に記載の発明は、前記リフトフォーク７は、バックレスト１６に対して前方に突出するフォーク部４１を、上向き方向の折畳姿勢Ｅに回動可能に構成し、このフォーク部４１をリフト姿勢Ｇからリフトタワー５に沿う上向きの折畳姿勢Ｅに回動して、この折畳姿勢のリフトフォーク７をリフトタワー５の上端部に上昇させた状態で、前記リフトタワー５を前倒れ姿勢Ｄに倒して運搬可能とすることを特徴とする。
【００１４】
リフト作業時にリフト姿勢にある前方突出のフォーク部４１を、リフトタワー５を前倒れ姿勢Ｄに倒すときは、このリフトフォーク７のバックレスト１６に対して、リフト姿勢位置から上向き回動してリフトタワー５と平行する状態位置の折畳姿勢Ｅに回動する（図９参照）。この折畳姿勢Ｅに変更したリフトフォーク７を、リフトブラケット２０の上昇によってリフトタワー５の上端部へ移動させる。作業者はこのリフトフォーク７を上昇させた状態で、機体１及びリフトタワー５を前輪２の接地部乃至前輪軸３周りに前側へ傾斜回動させて前倒れ姿勢Ｄにする。作業者はこの前倒れ姿勢Ｄのリフトタワー５の機体１部とリフトフォーク７部との中間部を抱えて運搬したり、持ち上げることができる。
【発明の効果】
【００１５】
請求項１に記載の発明は、ハンドリフターを格納、又は運搬するときは、機体１の後方に配置するバッテリー８及びバランスウエイト９の重量物を取外して、重量を軽くした状態で、これら機体１及びリフトタワー５を前輪２周りに前倒れ姿勢Ｄに回動するものであるから、ハンドリフターは、この前倒れ姿勢Ｄでリフトタワー５部を作業者が抱えて運搬等を行い易い態勢をとることができ、機体１の前輪２を接地転動させて運搬を容易に、楽な姿勢で行わせることができる。又、ハンドリフター運搬後に、リフター作業を開始するときは、バッテリー８やバランスウエイト９を搭載してリフト作業態勢とするが、前記リフトタワー５や機体１の前輪軸３周りの起立回動は、簡単容易に行うことができ、又、機体１とリフトタワー５との構成は剛体形態のままとすることにより、リフトタワー５部の抱え運搬を容易化することができ、安全な運搬形態を維持することができる。しかも、バッテリー８及びバランスウエイト９の比較的重量物で、着脱容易な構成部分品を着脱するものであるから、作業姿勢にしたり、リフトタワー５を前倒れ姿勢Ｄに回動させて運搬姿勢にする等の切替えを簡単、迅速にかつ容易に行うことができる。しかも、前記リフトタワー５は作業者が抱えて運搬姿勢をとるものであるから、構成を簡単に、小形、軽量化して、取扱性を高めることができる。
【００１６】
請求項２に記載の発明は、前記のようにグリップハンドル１０は、リフトタワー５自体に直接形成、乃至取付けられているため、リフト作業時の邪魔にはなり難く、このリフトタワー５を前倒れ姿勢Ｄにして、作業者が手腕で抱えたときに、抱え手元にあるグリップハンドル１０を手先で把持することができるものであるから、構成は簡単でありながら、このグリップハンドル１０を把持し易くすると共に、これを把持することにより、リフトタワー５の抱え込み姿勢を固定し易く、このリフトタワー５の抱え込み姿勢による運搬、乃至移動の操作性を高めることができる。
【００１７】
請求項３に記載の発明は、前記のように、リフトタワー５を機体１と共に、前輪２の周りに前傾倒回動操作するときの、回動径を短くする形成することができ、リフトタワー５の前倒れ姿勢Ｄへの回動操作を行い易くし、又、逆にこの前倒れ姿勢Ｄからリフト作業姿勢への復帰操作も行われ易くなる。又、ハンドリフターとして機体１の前後長さを短くし、軽量化して、リフト運転操作を行い易くする。又、前輪軸３がリフトフォーク７のバックレスト１６よりも後側に位置するため、リフトフォーク７の着脱の邪魔になり難く、着脱操作を簡単、容易に行うことができる。しかも、前記前輪軸３をバックレスト１６よりも後側位置設定するものであるから、機体構成を小形化、簡単、簡潔化することができる。
【００１８】
請求項４に記載の発明は、リフトタワー５側のリフトブラケット２０を、左右一対のプレート１８で成形し、このリフトブラケット２０のフックピン１９に係合するリフトフォーク７側のフックブラケット２４を左右一対のプレート２２で成形して、このリフトフォーク７を取付けるとき、リフトブラケット２０の外側面にフックブラケット２４の内側面が嵌合重合して、連結の剛体化を増して、リフトフォーク７の横揺れや、がたつき等を防止することができ、的確で円滑なリフト作業を行わせることができる。しかも、前記両ブラケット２０，２４を上下方向に平行な板面を形成する左右一対のプレート１８，２２によって形成するため、小形、軽量化の簡単な構成として、作業者による着脱操作を容易に行わせることができる。
【００１９】
請求項５に記載の発明は、リフトフォーク７のフォーク部４１を、バックレスト１６に対してリフト姿勢Ｇから上向き回動して、折畳姿勢Ｅに変向することができるため、このリフトタワー５を前輪２周りに前傾斜回動させて前倒れ姿勢Ｄとしたり、この前倒れ姿勢Ｄのリフトタワー５を抱えて運搬するときは、前記リフトフォーク７をリフトブラケット２０に取付けたままの状態であっても、フォーク部４１が前方へ突出していないから、前傾斜回動による前倒れ姿勢Ｄへの作動を制限することなく、速やかに操作することができる。
【図面の簡単な説明】
【００２０】
【図１】ハンドリフターの側面図。
【図２】その正面図。
【図３】その背面図。
【図４】その平面図。
【図５】機体部の側面図。
【図６】リフトフォーク着脱部の側面図。
【図７】ハンドリフター運搬状態を示す側面図。
【図８】ハンドリフター運搬状態を示す側面図。
【図９】リフトフォーク部の別実施例を示す側面図。
【発明を実施するための形態】
【００２１】
図面に基づいて、ハンドリフターは、底部の機体１上に、リフトフォーク７を昇降案内するリフトタワー５を立設したもので、機体１の前端左右両側部には前輪２を軸装し、後部には操向自在のキャスタ輪４を配置して、作業者が把持操作する操作ハンドル１４をリフトタワー５の後側部に設けている。作業者がこの操作ハンドル１４を把持して、ハンドリフターを押し引きして移動、操向できる。
【００２２】
前記機体１は、前記リフトタワー５下端部の左右両側部に、前後方向に亘って側部プレート状のサイドアーム２６を設け、このサイドアーム２６の前端部に前輪２軸３を設けて、前輪２を回転自在に支持する。リフトタワー５部の後側部には、左右のサイドアーム２６間にモータケース２７を構成し、内部に電動モータＭを設けて、リフトタワー５下端部のリフトチェン１７駆動軸２８をチェン２９連動する。又、このモータケース２７の後側には、バッテリケース３０、及びウエイトケース３１等を仕切構成して、内部にバッテリー８や、バランスウエイト９を受けて取付けることができる。前記左右一対のキャスタ輪４は、前記バッテリケース３０の底部に配置して取付ける。これらサイドアーム２６や、モータケース２７、バッテリケース３０及びウエイトケース３１等によって剛性ある機体１を構成している。前記バランスウエイト９の上側部には、ハンドル３３を有してバランスウエイト９の出し入れや、持ち運びを行い易くしている。又、バッテリー８に取っ手を設けることも可能である。
【００２３】
前記リフトタワー５は、作業者が片腕で抱き込み容易な外周面形状、及び断面太さに形成している。このリフトタワー５の前側には上下方向に亘って左右二条のリフト溝６を開口形成し、リフトチェン１７の昇降回動によって移動されるリフトブラケット２０を昇降案内する。
【００２４】
前記リフトタワー５の内部には、下端部の駆動軸２８と、上端部のスプロケット軸３４との間に、リフトチェン１７が掛け渡されて、このリフトチェン１７の両端をリフトブラケット２０の上下に連結してある。このリフトブラケット２０を連結する上下一対のリンクピン３５の左右両側端部には回動自在のガイドロール３６を設けて、リフトタワー５内側部の平面視コ字状断面形態のガイドレール３７に嵌合案内させている。又、リフトブラケット２０の左右側面にもガイドロール３６ａを設け、リフトブラケット２０の左右方向への振れ防止も行っている。このガイドレール３７及びリフトガイド溝２１によって昇降案内される左右一対のプレート１８は、このリフトタワー５前面のリフト溝６から前側へ突出して、前端上部には左右外側に突出のフックピン１９を設け、下部にはノブボルト２５を挿通するボルト穴を形成している。又、前記リフトブラケット２０を構成する左右一対のプレート１８は左右に開閉、又は歪み曲りしないように、厚板形態の剛板又は平面視コ字状断面形態の構成とすることも可能である。
【００２５】
前記リフトブラケット２０に着脱するリフトフォーク７は、板状のバックレスト１６の下端縁部から前方にフォーク部４１を突出させて、側面視Ｌ字状に形成したもので、このバックレスト１６の後側面部で、横幅方向の中央部に、前記リフトブラケット２０上端のフックピン１９に係合するフック２３と、下端部のボルト穴に重合するピン穴を形成した左右一対のプレート２２から構成されるフックブラケット２４を一体に構成して、このフックブラケット２４のフック２３をフックピン１９に係合させると、この左右のプレート２２がリフトブラケット２０のプレート１８の外側面に沿って嵌合し、リフトフォーク７の取付状態となる。そして、これらプレート１８，２２の下端部間に亘って形成されるピン穴、及びボルト穴にノブボルト２５を螺挿することにより、リフトフォーク７の取付姿勢を固定することができる。又、前記リフトフォーク７の横幅は、左右前輪２間の間隔内に形成されて、前輪軸３よりも前側に位置する前輪２前部が、バックレスト１６の真横位置で回転することができる。
【００２６】
ここにおいてハンドリフターは、機体１の前端部には、この機体１の前倒し姿勢Ｄにおいても接地回動可能の位置に、左右一対の前輪２を軸装し、後部には操向自在のキャスター輪４を配置し、これら前後の前輪２とキャスタ輪４と間の機体１中央部上に、作業者が手腕で抱え込み可能な断面形態のリフトタワー５を立設し、このリフトタワー５のリフト溝６の前側にはリフトフォーク７を装着して昇降案内させる形態とし、前記機体１の後部には、前記リフトフォーク７を昇降するモータＭを駆動するバッテリー８と、バランスウエイト９を着脱可能に搭載して、これらバッテリー８及びバランスウエイト９を取外して機体１重量を軽くした状態で、前記機体１のキャスタ輪４側を前輪２周りに浮上させて、リフトタワー５部を前倒し姿勢Ｄに回動し運搬可能に構成したことを特徴とするハンドリフターとする。
【００２７】
リフターの移動は、作業者Ａが操作ハンドル１４を把持して押し引きすることにより、前輪２、及びキャスタ輪４を床面Ｂに接地回動させて、リフト作業位置を移動、操向できる。リフトフォーク７の昇降は、作業者が操作ハンドル１４部のスイッチＳ操作によって、バッテリー８によりモータＭを駆動して、リフトタワー５に沿って昇降させることができる。このようなハンドリフター５において、リフトフォーク７を格納したり、トラックＣ等に載せて運搬するときは、少なくとも機体１の後方に配置の重量物となるバッテリー８やバランスウエイト９を取外して、機体１重量を軽量化する。この状態で機体１及びリフトタワー５を、前輪２周りに前倒れ姿勢Ｄに回動する。作業者は、この前倒れ姿勢Ｄのリフトタワー５部を抱き抱えるようにして、前輪２を床面Ｂに接地させたままの状態で、（図７，図８参照）押し引き移動することができ、アユミＦを使用してトラックＣに載せることも可能である。この時、リフトフォーク７が移動の邪魔になる場合には、リフトフォーク７を所定以上上方へ移動させるか、取外す、又はフォーク部４１を折畳む等により対応することができる。又、再度リフト作業を開始する際には、機体１後部にバッテリー８やバランスウエイト９を載置し、リフトフォーク７を取外した場合には、再度取付けて行うことができる。
【００２８】
又、リフトタワー５の抱え部位置近くにグリップハンドル１０を形成したことを特徴とする。リフトフォーク７や、バッテリー８及びバランスウエイト９等を取外したハンドリフター本体は、前輪２周りに前倒し回動して、作業者がこの前倒れ姿勢Ｄのリフトタワー５部を手腕で抱えて運搬する姿勢をとる。このとき、リフトタワー５部を抱えながら、近くの手でリフトタワー５に形成されているグリップハンドル１０を把持して、このリフトタワー５の抱え姿勢を固定することができる。作業者がこのグリップハンドル１０を持つことによって、リフトタワー５の運搬移動方向や、機体１部の持上げ操作等を容易に、的確に行うことができる。
【００２９】
又、前記前輪２を軸装する前輪軸３を、機体１に対して支持固定するリフトタワー５の下端部と、この機体１の前端部に取付けるリフトフォーク７のバックレスト１６部との間に配置したことを特徴とする。前記のように、リフト作業時は、機体１及びリフトタワー５等を、前輪２とキャスタ輪４で接地支持して移動しながら、リフトフォーク７による荷物の積み降ろし、運搬等を行わせる。この機体１に対する前輪軸３の位置を、リフトフォーク７のバックレスト１６よりも後側に配置するため、この前輪軸３とリフトタワー５の下端部との前後間隔を短くして、リフトフォーク７の昇降作動時は、このリフトタワー５前側部の荷重重量が、後側部のバッテリー８や、バランスウエイト９等による搭載重量と前後バランスして、安定したリフト作用や、移動を行わせる。
【００３０】
更には、リフトタワー５内部のリフトチェン１７に沿わせて平行形態にして連結した左右一対のプレート１８からなり、前端上部に左右外側へ突出するフックピン１９を有したリフトブラケット２０を、このリフトタワー５のリフト溝６から前方へ突出させて昇降可能に設け、前記リフトフォーク７のバックレスト１６の後面には、前記リフトブラケット２０の外側面に沿って嵌合重合する左右両側のプレート２２からなり、上端部には前記各フックピン１９に係合可能のフック２３を形成したフックブラケット２４を設け、前記フックブラケット２４上部のフック２３をリフトブラケット２０上部のフックピン１９に係合させて、これらリフトブラケット２０とフックブラケット２４との下端部間に亘ってノブボルト２５を挿通して、リフトフォーク７をリフトブラケット２０に着脱可能に連結することを特徴とする。
【００３１】
リフト作業は、リフトタワー５内部に上下方向に掛け渡されたリフトチェン１７の昇降駆動によって、このリフトチェン１７に連結されたリフトブラケット２０が、リフト溝６に沿って昇降される。このリフトブラケット２０のフックピン１９に、リフトフォーク７のフックブラケット２４が係合して装着されていると、このフックブラケット２４を昇降して、リフトフォーク７を昇降することができる。このように、リフトフォーク７側のフックブラケット２４をリフトブラケット２０に係合させて取付けた状態では、このフックブラケット２４の上端部のフック２３が、リフトブラケット２０上端部のフックピン１９に係合して吊下げ形態に支持される。そして、このフックブラケット２４の左右一対のプレート２２が、リフトブラケット２０の左右一対のプレート１８の外側面に沿って嵌合重合して、フックブラケット２４のリフトブラケット２０に対する左右横方向の揺動や、がたつき等を阻止して、両ブラケット２０，２４の係合剛性と高める。そして、これら係合連結された両ブラケット２０，２４の下部位置にはボルト穴が形成されていて、このボルト穴にノブボルト２５を挿通することによって、両ブラケット２０，２４の相対的上下移動を阻止して、フック２３がフックピン１９から外れるのを防止する。又、このリフトフォーク７をリフトブラケット２０から取外すときは、前記ノブボルト２５を抜き出して、フック２３をフックピン１９から上方に浮上させた状態にして、リフトフォーク７を前方へ移動させる。
【００３２】
更には、又、前記リフトフォーク７は、バックレスト１６に対して前方に突出するフォーク部４１を、上向き方向の折畳姿勢Ｅに回動可能に構成し、このフォーク部４１をリフト姿勢Ｇからリフトタワー５に沿う上向きの折畳姿勢Ｅに回動して、この折畳姿勢のリフトフォーク７をリフトタワー５の上端部に上昇させた状態で、前記リフトタワー５を前倒れ姿勢Ｄに倒して運搬可能とすることを特徴とする。
【００３３】
リフト作業時にリフト姿勢Ｇにある前方突出のフォーク部４１を、リフトタワー５を前倒れ姿勢Ｄに倒すときは、このリフトフォーク７のバックレスト１６に対して、リフト姿勢Ｇ位置から上向き回動してリフトタワー５と平行する状態位置の折畳姿勢Ｅに回動する（図９参照）。この折畳姿勢Ｅに変更したリフトフォーク７を、リフトブラケット２０の上昇によってリフトタワー５の上端部へ移動させる。作業者はこのリフトフォーク７を上昇させた状態で、機体１及びリフトタワー５を前輪２の接地部１３乃至前輪軸３周りに前側へ傾斜回動させて前倒れ姿勢Ｄにする。作業者はこの前倒れ姿勢Ｄのリフトタワー５の機体１部とリフトフォーク７部との中間部を抱えて運搬することができる。
【００３４】
前記リフトタワー５の下端部は、機体１部に対して、連結ブラケット４２等を介して連結固定される。このリフトタワー５の上部後側位置にはハンドルフレーム１５を取付けて、このハンドルフレーム１５の後端部に左右横方向に突出するバーハンドル形態の操作ハンドル１４を設け、機体１の後側部に立つ作業者は、この操作ハンドル１４を把持して、リフターを前側へ押したり、後側へ引くように操作して、移動運転操作することができる。又、この操作ハンドル１４を横方向へ振ることによってキャスタ輪４旋回させて機体１の推進を操向することができる。前記ハンドルフレーム１５の基部側には、レバー軸４４の周りに後方向に回動して、前輪ブレーキ１２を制動し、前側へ回動して制動解除するブレーキレバー１３を設けている。又、このブレーキレバー１３よりも後側の操作ハンドル１４側に電源スイッチ４３を設ける。４８はバッテリー残量メーターである。
【００３５】
前記前輪２を制動する前輪ブレーキ１２は、左右側部の各プレートアーム２６の内側部に構成されて、前記ブレーキレバー１３とワイヤー３８連結によってアーム軸３９周りに戻りスプリング４７に抗して回動されるブレーキアーム４０を、前輪２の回転周面に押し付けて、この前輪２の回転を制動することができる。この前輪ブレーキ１２は、左右の両前輪２を制動することができ、傾斜面にハンドリフターを停止させた際にも、機体１が斜面の下り方向へ向け回転することがない。更に、リフトタワー５を前倒れ姿勢Ｄにする際にも、機体１及びリフトタワー５を安定した状態で安全に前倒れ姿勢Ｄにすることができる。
【００３６】
前記のようにブレーキレバー１３は、機体１の前端部に配置の前輪２回転を制動する前輪ブレーキ１２を操作するもので、リフトタワー５の後側部に設けられるハンドルフレーム１５部において、前記ブレーキレバー１３を前後方向に回動操作することによって、制動及び制動解除する。リフト作業時では、ブレーキレバー１３を後側へ回動操作すると前輪ブレーキ１２を制動状態とし、前側へ回動操作すると制動解除の状態となる。又、このようなリフト作業時からリフターを運搬、格納する等の場合は、前記リフトフォーク７等の如き一部の構成部分を取外すことによって運搬し易い形態として、作業者がリフトタワー５及び機体１を前輪軸３の周りに前倒れ姿勢Ｄにして、リフトタワー５部を直接抱えて前輪２を床面Ｂに接地支持させた状態で運搬移動することができる。作業者はこのリフトタワー５を抱えた姿勢においても手先を近くのハンドルフレーム１５部に伸ばして、ブレーキレバー１３を把持操作して、前輪ブレーキ１２を制動したり、制動解除することができる。リフトタワー５後方の下部から、後方上方へ向け延設したハンドルフレーム１５及び前輪２を制動可能のブレーキレバー１３は、背面視においてリフトタワー５の左右幅と略同幅内に配置するとともに、ブレーキレバー１３を前後方向に回動操作することで、後方から操作する作業者がリフトタワー５越しにリフトフォーク７や荷物を見る際の視界Ｌ１，Ｌ２の妨げにならないよう構成してある。図例では、ブレーキレバー１３を前側へ回動したときは、ワイヤー３８を緩めてブレーキアーム４０が、スプリング４７に引かれてアーム軸３９の周りに上方へ回動されて、ブレーキアーム４０を前輪２の回転面から離間させて、制動解除の状態となり、又、ブレーキレバー１３を後側へ引くことによって、ブレーキアーム４０を上記とは逆方向に、スプリング４７力に抗して回動して、前輪２の回転周面に摺接させて、制動状態とすることができる。
【００３７】
前記リフトフォーク７の構成は、図９のようにバックレスト１６に対して前方水平方向に突出する左右両側部のフォーク部４１の後端部を前記バックレスト１６下端部に左右水平方向に設けたフォーク軸４５の周りに上下回動させて、前方下端に回動したリフト姿勢と、後方上部に回動してリフトタワー５と平行状態となる折畳姿勢とに切替回動することができる。前記フォーク部４１のリフト姿勢では、この前方水平位置よりも下方へは回動しないようにフォーク軸４５部周りに回り止めストッパー等を形成して、リフト作業時の荷物の掬取姿勢を維持させることができる。又、このフォーク部４１を折畳姿勢位置に回動したときは、前記バックレスト１６等との間に回り止めストッパー等を設けて、フォーク部４１の折畳姿勢位置を保持させておくことができる。
【００３８】
前記リフトタワー５に形成、又は着脱可能に取付けるグリップハンドル１０は、このリフトタワー５の横側、又は前後側面等で、リフトタワー５の抱え込み保持の邪魔になり難い位置に、短く突出させて設ける。又、前記ハンドルフレーム１５の基部側面部に形成することも可能である。単なるバーハンドル形態に形成したり、ループ形態、乃至環状形態にして、把持及び持ち上げ操作し易い形態に構成することができる。更には、このグリップハンドル１０の配置を、リフトタワー５に沿った上下方向複数個所の位置に形成したり、又は取付位置を変更可能にして、リフトタワー５の抱え込み保持位置に応じて、把持し易い位置にグリップハンドル１０を設定できる構成とすることが可能である。
【符号の説明】
【００３９】
１    機体
２    前輪
３    前輪軸
４    キャスタ輪
５    リフトタワー
６    リフト溝
７    リフトフォーク
８    バッテリー
９    バランスウエイト
１０  グリップハンドル
１６  バックレスト
１７  リフトチェン
１８  プレート
１９  フックピン
２０  リフトブラケット
２２  プレート
２３  フック
２４  フックブラケット
２５  ノブボルト
４１  フォーク部
Ｄ    前倒し姿勢
Ｅ    折畳姿勢
Ｇ    リフト姿勢
Ｍ    モータ
【図１】
2014101203.tif 000003
【図２】
2014101203.tif 000004
【図３】
2014101203.tif 000005
【図４】
2014101203.tif 000006
【図５】
2014101203.tif 000007
【図６】
2014101203.tif 000008
【図７】
2014101203.tif 000009
【図８】
2014101203.tif 000010
【図９】
2014101203.tif 000011